(57)【要約】  スイッチレバーホルダ（１３）に収納され、第２の筐体（２）の開閉動作に応じて軸方向にスライドするスライドバー（１２１）と、スライドバー（１２１）の軸方向に直交して設けられたスイッチレバー（１２２）とを有するスイッチレバーユニット（８）と、第２の筐体（２）の基板（１１）上に配置され、第２の筐体（２）の開閉動作に応じてスライドバー（１２１）とともにスライドするスイッチレバー（１２２）に押圧されて、第２の筐体（２）の開閉角度を検知するスイッチ（７ａ，７ｂ）と、スイッチレバーユニット（８）が、スイッチレバー（１２２）を第２の筐体（２）の基板（１１）上に配置されたスイッチ（７ａ，７ｂ）へ向けて、当該基板（１１）の面に平行かつスライドバー（１２１）の軸方向に直交する方向に移動させて組み付けられた第２の筐体側ホルダ（９）とを備えた。
2012137264.tif 000002
【特許請求の範囲】
【請求項１】
第１の筐体と、前記第１の筐体に一端側が回動自在に支持されて回動により当該第１の筐体に対して開閉される第２の筐体とを備えた回動開閉装置に組み込まれ、前記第２の筐体の開閉角度を検知するスイッチレバー装置において、  スイッチレバーホルダに収納され、前記第２の筐体の開閉動作に応じて軸方向にスライドするスライドバーと、前記スライドバーの軸方向に直交して設けられたスイッチレバーとを有するスイッチレバーユニットと、  前記第２の筐体の基板上に配置され、前記第２の筐体の開閉動作に応じて前記スライドバーとともにスライドする前記スイッチレバーに押圧されて、前記第２の筐体の開閉角度を検知するスイッチと、  前記スイッチレバーユニットが、前記スイッチレバーを前記第２の筐体の基板上に配置された前記スイッチへ向けて、当該基板の面に平行かつ前記スライドバーの軸方向に直交する方向に移動させて組み付けられた第２の筐体側ホルダとを備えたことを特徴とするスイッチレバー装置。
【請求項２】
前記第２の筐体側ホルダに設けられ、前記スイッチレバーユニットを前記第２の筐体側ホルダに組み付けるときに、前記スイッチレバーユニットによる前記スイッチへの上方からの押し付けを規制するように突出したガイド部を備えたことを特徴とする請求項１記載のスイッチレバー装置。
【請求項３】
前記第２の筐体側ホルダおよび前記スイッチレバーホルダに設けられ、前記スイッチレバーユニットを前記第２の筐体側ホルダに組み付けたときに互いに係合して、前記スイッチレバーユニットによる前記第２の筐体側ホルダからの浮き上がりを規制する第１の係合部を備えたことを特徴とする請求項１記載のスイッチレバー装置。
【請求項４】
前記第２の筐体側ホルダおよび前記スイッチレバーホルダに設けられ、前記スイッチレバーユニットを前記第２の筐体側ホルダに組み付けたときに互いに係合して、前記スイッチレバーユニットの前記スイッチから離れる方向の動きを規制する第２の係合部を備えたことを特徴とする請求項１記載のスイッチレバー装置。
【請求項５】
前記第１の筐体に設けられ、前記第２の筐体の回転軸に直交する面に当該回転軸を中心に段差面が形成された段差部を備え、  前記段差部の段差面のうち、前記第１の筐体に対して前記第２の筐体が閉位置のときに前記スライドバーの一端が対向する面には、当該スライドバーの一端は当接せず、  前記スイッチレバーは、前記第２の筐体の開閉動作に応じて、前記スライドバーの一端が前記段差面に当接することで、前記第２の筐体の回転軸に沿ってスライドすることを特徴とする請求項１記載のスイッチレバー装置。
【発明の詳細な説明】
【技術分野】
【０００１】  この発明は、第１の筐体と、第１の筐体に一端側が回動自在に支持されて回動により当該第１の筐体に対して開閉される第２の筐体とを備えた回動開閉装置に組み込まれ、第２の筐体の開閉角度を検知するスイッチレバー装置に関するものである。
【背景技術】
【０００２】  従来から、例えばディスプレイユニット（開閉体）が本体部（固定体）から開閉するディスプレイ装置では、開閉体の開閉に応じてディスプレイのオン・オフを切り替えるため、この開閉角度を検知する必要がある。そこで、開閉体の開閉動作に応じてスライドされるスライドスイッチレバーを有するスイッチレバーユニットと、このスライドスイッチレバーのスライドによりオン・オフされることで開閉体の開閉角度を検知するスイッチと、スイッチレバーユニットを保持するホルダとを備えたスイッチレバー装置が知られている。【０００３】  このスイッチレバー装置では、開閉体にスイッチおよびホルダが設けられ、このホルダ内にスイッチレバーユニットが組み付けられている。また、固定体には、開閉体の開動作によってスライドスイッチレバーの突出端と接触し、スライドスイッチレバーをスライドさせる段差部が設けられている。そして、開閉体が固定体から開いた際に、スライドスイッチレバーが段差部によってスライドされることで、スイッチを押下する。このようにしてスイッチがオンとなることで、開閉体が開いたことを検知することができる。
【先行技術文献】
【特許文献】
【０００４】
【特許文献１】特許４５６９６４８号公報
【発明の概要】
【発明が解決しようとする課題】
【０００５】  しかしながら、従来のスイッチレバー装置では、スイッチレバーユニットがホルダ内に組み付けられている。そのため、スイッチレバーユニットをホルダに組み付ける際には、ホルダを裏返して組み付け作業を行う必要があり、組み付け性が悪いという課題があった。  また、従来のスイッチレバー装置では、スイッチレバーユニットが組み付けられた開閉体を固定体に組み付ける際に、スイッチレバーの突出端が段差部に接触してしまう構成となっていた。そのため、この突出端を開閉体内側に押し込んだ状態で組み付け作業を行う必要がある。しかしながらこの場合、組み付け作業中にスライドスイッチレバーがスイッチに接触してしまうため、スイッチを破損する恐れがあるという課題があった。【０００６】  なお、開閉体の開閉角度を検知する装置として、開閉体と固定体とを連結する基板上に、開閉体の開閉動作に応じて押下されるスイッチを設けたヒンジ装置も存在する（例えば特許文献１参照）。しかしながら、このヒンジ装置は、開閉体の開閉動作に応じてスライドされるスイッチレバーユニットを有するものではなく、上記スイッチレバー装置とは構成が異なり、適用することはできない。【０００７】  この発明は、上記のような課題を解決するためになされたもので、スイッチレバーユニットをホルダに組み付ける際の組み付け性を改善することができるスイッチレバー装置を提供することを目的としている。
【課題を解決するための手段】
【０００８】  この発明に係るスイッチレバー装置は、スイッチレバーホルダに収納され、第２の筐体の開閉動作に応じて軸方向にスライドするスライドバーと、スライドバーの軸方向に直交して設けられたスイッチレバーとを有するスイッチレバーユニットと、第２の筐体の基板上に配置され、第２の筐体の開閉動作に応じてスライドバーとともにスライドするスイッチレバーに押圧されて、第２の筐体の開閉角度を検知するスイッチと、スイッチレバーユニットが、スイッチレバーを第２の筐体の基板上に配置されたスイッチへ向けて、当該基板の面に平行かつスライドバーの軸方向に直交する方向に移動させて組み付けられた第２の筐体側ホルダとを備えたものである。
【発明の効果】
【０００９】  この発明によれば、上記のように構成したので、スイッチレバーユニットをホルダ（第２の筐体側ホルダ）に組み付ける際の組み付け性を改善することができる。
【図面の簡単な説明】
【００１０】
【図１】この発明の実施の形態１に係るスイッチレバー装置が適用されたディスプレイ装置の構成を示す斜視図である。
【図２】図１のスイッチレバー装置部分を拡大して示した斜視図である。
【図３】この発明の実施の形態１におけるスイッチレバーユニットが組み付けられた開閉体の構成を示す斜視図である。
【図４】この発明の実施の形態１におけるホルダの構成を示す斜視図である。
【図５】この発明の実施の形態１におけるスイッチレバーユニットの構成を示す図であり、（ａ）斜視図であり、（ｂ）背面側からの側面図である。
【図６】この発明の実施の形態１におけるスイッチレバーユニットとホルダとの組み付け関係を示す図であり、（ａ）図１０（ｂ）のＡ−Ａ線断面図であり、（ｂ）図１０（ｂ）のＢ−Ｂ線断面図である。
【図７】この発明の実施の形態１におけるスイッチレバーユニットとホルダとの組み付け関係を説明する模式図であり、（ａ）組み付け前を示す図であり、（ｂ）組み付け後を示す図であり、（ｃ）組み付け時のスイッチ破損防止を示す図である。
【図８】この発明の実施の形態１における開閉体の開閉動作に伴うスイッチレバーユニットの突出端と段差部との位置関係を示す模式図であり、（ａ）開閉体が閉位置での模式図であり、（ｂ）開閉体が開閉動作中での模式図であり、（ｃ）開閉体が開位置での模式図である。
【図９】この発明の実施の形態１におけるスイッチレバーユニットのホルダへの組み付けを説明する斜視図であり、（ａ）組み付け前を示す斜視図であり、（ｂ）組み付け後を示す斜視図である。
【図１０】この発明の実施の形態１に係るスイッチレバー装置の動作を示す斜視図であり、（ａ）開閉体が閉位置での斜視図であり、（ｂ）開閉体が第２の角度まで開いた状態での斜視図であり、（ｃ）開閉体が開位置での斜視図である。
【発明を実施するための形態】
【００１１】  以下、この発明の実施の形態について図面を参照しながら詳細に説明する。実施の形態１．  以下では、ディスプレイユニット（開閉体２）が本体部（固定体３）から開閉するディスプレイ装置（回動開閉装置）１にスイッチレバー装置６を適用した場合について示す。なお、開閉体２は本願発明の第２の筐体に相当し、固定体３は本願発明の第１の筐体に相当する。  ディスプレイ装置１は、図１に示すように、開閉体２および固定体３から構成されている。なお図１において、開閉体２の固定体３との対向面には、ディスプレイ（不図示）が設けられている。
【００１２】  図１〜３に示すように、開閉体２の左右両側面の一端側には、回転軸４が連結されている。また、開閉体２から突出した回転軸４の端部は、軸受け部５により回転自在に支持されている。この軸受け部５は、ネジにより固定体３に固定される固定面５１を有している。さらに、開閉体２の前側面には、固定体３の後述する爪部３１が係合される係合穴２１が形成されている。
【００１３】  一方、固定体３には、係合穴２１と対向する位置に、この係合穴２１と係合することで、開閉体２が固定体３側に閉じた状態（閉位置）で保持する爪部３１が形成されている。また、固定体３には、爪部３１と連結され、係合穴２１と爪部３１との係合状態を解除する係合解除ボタン３２が形成されている。
【００１４】  このように構成されたディスプレイ装置１では、開閉体２が固定体３に対して閉位置の場合には、爪部３１が係合穴２１に係合され、この状態のままで保持される。一方、使用者により係合解除ボタン３２が押下されると、係合穴２１と爪部３１との係合状態が解除される。そしてこの状態で、使用者により開閉体２が固定体３から開かれることによって、開閉体２が回転軸４を中心に回動し、ディスプレイが外部に露出される。
【００１５】  次に、ディスプレイ装置１に適用されたスイッチレバー装置６について説明する。  スイッチレバー装置６は、開閉体２の固定体３からの開閉角度を検知するものである。このスイッチレバー装置６は、図２，１０に示すように、複数のスイッチ７ａ，７ｂと、軸方向へのスライドに伴い各スイッチ７ａ，７ｂをオン・オフするスライドスイッチレバー１２を有するスイッチレバーユニット８と、開閉体２に設けられ、スイッチレバーユニット８を保持するホルダ（第２の筐体側ホルダ）９と、開閉体２の開閉動作に応じてスライドスイッチレバー１２の突出端１２１ａと当接し、スライドスイッチレバー１２をスライドさせる段差部１０とから構成されている。各スイッチ７ａ，７ｂは開閉体２の基板１１上に設置され、スイッチレバーユニット８はホルダ９上に組み付けられている。また、段差部１０は固定体３上に設置されている。  なお図１０では、図１に示す開閉体２の上側カバー２２を取り除いて、内部の状態を示している。また図１０では、段差部１０とスライドスイッチレバー１２との接触関係を明確に示すため、模式的に、開閉体２の図示位置を固定し、開閉体２の開閉動作に応じて段差部１０の図示位置を直動で変化させた場合を示している。  また以下では、スイッチを２個設けた場合について説明するが、これに限るものではなく、１個であってもよいし３個以上設けてもよい。
【００１６】  まず、ホルダ９の構成について説明する。  図４，７に示すように、ホルダ９の上面には、スイッチ７ａ，７ｂ側に、スイッチレバーユニット８が組み付けられる際にガイドとして機能するガイド部９１ａ，９１ｂが、ホルダ９から切り起こされて形成されている。このガイド部９１ａ，９１ｂは、スイッチレバーユニット８が組み付けられる際に、スイッチレバーユニット８によるスイッチ７ａ，７ｂへの上方からの押し付けを規制することができる位置に形成されている（図７（ｃ）参照）。また、ガイド部９１ａ，９１ｂにはそれぞれ第１の位置決め穴９２ａ，９２ｂが形成されている。
【００１７】  また、ホルダ９の上面のスイッチ７ａ，７ｂ側とは反対側には、上面から側面に沿って第２の位置決め穴９３ａ，９３ｂが形成されている。また、ホルダ９の上面には、第３の位置決め穴９４ａ，９４ｂが形成されている。  なお図７では、第１〜３の位置決め穴９２ａ〜９４ａと、後述する第１〜３の位置決め突起１３１ａ〜１３３ａとの組み付け関係を示している。また図７では、説明を簡略化するため、第１〜３の位置決め穴９２ａ〜９４ａおよび第１〜３の位置決め突起１３１ａ〜１３３ａが全て同一線上に存在するものとして示している。
【００１８】  次に、スイッチレバーユニット８の構成について説明する。  スイッチレバーユニット８は、図５に示すように、軸方向へのスライドに伴い各スイッチ７ａ，７ｂをオン・オフするスライドスイッチレバー１２と、このスライドスイッチレバー１２を収納するスイッチレバーホルダ１３と、スライドスイッチレバー１２とスイッチレバーホルダ１３との間に組み付けられ、スライドスイッチレバー１２に対する段差部１０からの押圧力に反して付勢力を発生するバネ部１４とから構成されている。
【００１９】  このスライドスイッチレバー１２は、開閉体２の開閉動作に応じて段差部１０に当接し軸方向にスライドされる突出端１２１ａを有するスライドバー１２１と、スライドバー１２１の軸方向に直交して設けられ、段差部１０からの押圧力およびバネ部１４からの付勢力によるスライドバー１２１の軸方向へのスライドに伴い、各スイッチ７ａ，７ｂをオン・オフするスイッチレバー１２２とを有している。
【００２０】  また、スイッチレバー１２２は、各スイッチ７ａ，７ｂと接触する複数の面１２２ａ，１２２ｂを有する階段形状に構成されている。なお、スイッチレバー１２２が有する面の個数はスイッチの個数により変更される。このスイッチレバー１２２は、開閉体２が閉位置の場合に全てのスイッチ７ａ，７ｂを押下する。そして、開閉体２の開動作に伴い、順にスイッチ７ａ，７ｂに対する押下を解除し、開閉体２が開位置の場合に全てのスイッチ７ａ，７ｂに対する押下を解除する。
【００２１】  また、図５〜７に示すように、スイッチレバーホルダ１３には、ホルダ９への組み付け方向の前方側（図７の右側）に、第１の位置決め穴９２ａ，９２ｂと係合する第１の位置決め突起１３１ａ，１３１ｂが前方に向かい形成されている。また、組み付け方向の後方側（図７の左側）には、第２の位置決め穴９３ａ，９３ｂと係合する第２の位置決め突起１３２ａ，１３２ｂが前方に向かい形成されている。また、スイッチレバーホルダ１３の底面には、第３の位置決め穴９４ａ，９４ｂと後方端部で係合する第３の位置決め突起１３３ａ，１３３ｂが形成されている。  なお、第１〜３の位置決め穴９２ａ〜９４ａ，９２ｂ〜９４ｂおよび第１〜３の位置決め突起１３１ａ〜１３３ａ，１３１ｂ〜１３３ｂの個数は、スイッチレバーユニット８の長さ等により適宜変更可能である。
【００２２】  また、第１〜３の位置決め穴９２ａ〜９４ａ，９２ｂ〜９４ｂおよび第１〜３の位置決め突起１３１ａ〜１３３ａ，１３１ｂ〜１３３ｂは、組み付けられたスイッチレバーユニット８をホルダ９に固定保持する保持部としても機能する。例えば図７において、第１〜３の位置決め穴９２ａ〜９４ａと第１〜３の位置決め突起１３１ａ〜１３３ａとがそれぞれ係合することによって、スイッチレバーユニット８の軸方向への動きを規制する。また、第１，２の位置決め穴９２ａ，９３ａと第１，２の位置決め突起１３１ａ，１３２ａとがそれぞれ係合することによって、スイッチレバーユニット８のホルダ９からの浮き上がりを規制する（本願発明の第１の係合部に相当）。また、第１，３の位置決め穴９２ａ，９４ａと第１，３の位置決め突起１３１ａ，１３３ａとがそれぞれ係合することによって、スイッチレバーユニット８のスイッチ７ａ，７ｂから離れる方向（ホルダ９からの抜け方向）への動きを規制する（本願発明の第２の係合部に相当）。
【００２３】  次に、段差部１０の構成について説明する。  段差部１０には、図８，１０に示すように、回転軸４に直交する面に回転軸４を中心に段差面（肉薄面１０１、傾斜面１０２および肉厚面１０３）が形成され、根元側に向かい厚くなる階段形状に構成されている。ここで突出端１２１ａは、開閉体２が閉位置の場合には肉薄面１０１と対向し、開閉体２の開動作に伴い傾斜面１０２、肉厚面１０３へと移動する。この際、開閉体２の開動作に伴い、突出端１２１ａが段差部１０と当接し、スライドスイッチレバー１２が回転軸に沿って開閉体２内側方向にスライドされる。  なお、開閉体２が閉位置の場合に突出端１２１ａと肉薄面１０１とが当接しないように、突出端１２１ａの最大突出位置が設定されている。これは、スイッチレバーユニット８が組み付けられた開閉体２を固定体３に組み付ける際に、スライドスイッチレバー１２がスイッチ７ａ，７ｂを押圧して、破損させてしまうことを防止するためである。  また、段差部１０の形状は、スイッチの個数やスイッチやスイッチレバーユニット８の設置位置等に応じて適宜変更可能である。
【００２４】  次に、上記のように構成されたスイッチレバーユニット８のホルダ９への組み付けについて説明する。  スイッチレバーユニット８をホルダ９に組み付ける場合には、図７，９に示すように、まず、ホルダ９に形成された第１〜３の位置決め穴９２ａ〜９４ａ，９２ｂ〜９４ｂと、スイッチレバーユニット８に形成された第１〜３の位置決め突起１３１ａ〜１３３ａ，１３１ｂ〜１３３ｂとの位置決めを行い、スイッチレバー１２２を基板１１上に配置されたスイッチ７ａ，７ｂに向ける。次いで、スイッチレバーユニット８をホルダ９の基板１１の面に平行かつスライドバー１２２の軸方向に直交する方向（組み付け方向）に移動させて、スイッチレバーユニット８をホルダ９に組み付ける。  このように、スイッチレバーユニット８を組み付け方向に移動させることのみでホルダ９への組み付けを行うことができ、従来のように、ホルダ９を裏返して作業を行う必要はない。そのため、組み付け作業が容易となり、スイッチレバーユニット８に対する組み付け性を改善することができる。
【００２５】  また、ガイド部９１ａ，９１ｂは、組み付け時において、スイッチレバーユニット８に対するガイド機能に加えて、スイッチ７ａ，７ｂの破損防止機能としての役割も果たす。すなわち、図７（ｃ）に示すように、ガイド部９１ａ，９１ｂをスイッチ７ａ，７ｂの近傍に形成することで、組み付け時にスイッチレバーユニット８がスイッチ７ａ，７ｂに対して上方から押し付けようとした場合であっても、スイッチレバーユニット８がガイド部９１ａ，９１ｂの上端に当接してスイッチ７ａ，７ｂ側には移動できないため、スイッチ７ａ，７ｂの破損を防止することができる。
【００２６】  また、スイッチレバーユニット８を組み付ける際に、第１〜３の位置決め穴９２ａ〜９４ａ，９２ｂ〜９４ｂと第１〜３の位置決め突起１３１ａ〜１３３ａ，１３１ｂ〜１３３ｂとをそれぞれ係合させることで、ホルダ９に組み付けられたスイッチレバーユニット８を固定保持することができる。すなわち、スイッチレバーユニット８の軸方向へのずれ、浮き上がり、抜け方向へのずれを防止することができる。そのため、スイッチレバーユニット８がホルダ９から外れることを防止することができる。
【００２７】  以上のようにしてスイッチレバーユニット８をホルダ９に組み付けた後、開閉体２のディスプレイ面を固定体３に対向させた状態（閉位置の姿勢）で組み付けを行い、ネジにより固定面５１を固定体３に固定する。この際、スライドスイッチレバー１２の突出端１２１ａが肉薄面１０１と接触することはない。そのため、従来のように、開閉体２を固定体３に組み付ける際に、スライドスイッチレバー１２を開閉体２内側に押し込む必要はない。したがって、組み付け時にスライドスイッチレバー１２がスイッチ７ａ，７ｂに接触することがないため、スイッチ７ａ，７ｂが破損することはなく、組み付けの信頼性を向上させることができる。
【００２８】  次に、ディスプレイ装置１に適用されたスイッチレバー装置６の動作について説明する。  まず、開閉体２が閉位置の場合には、図８（ａ）に示すように、突出端１２１ａは肉薄面１０１とは当接せず、最大突出位置まで突出している。この状態では、図１０（ａ）に示すように、スイッチレバー１２２は全てのスイッチ７ａ，７ｂを押下する状態となっている。このように全てのスイッチ７ａ，７ｂがオンとなることで、開閉体２が閉じていることを検知することができる。
【００２９】  次いで、開閉体２を第１の角度まで開くと、図８（ｂ）に示すように、突出端１２１ａが段差部１０の根元側に移動して傾斜面１０２と当接する。その後、開閉体２の開動作に伴い、突出端１２１ａが傾斜面１０２に沿ってさらに根元側に移動し、スライドスイッチレバー１２が開閉体２内側にスライドされる。  次いで、開閉体２が第２の角度まで開くと、図１０（ｂ）に示すように、スイッチ７ｂに対する押下が解除される。このようにスイッチ７ｂがオフとなることで、開閉体２が第２の角度まで開いたことを検知することができる。
【００３０】  次いで、開閉体２が開位置まで開くと、図８（ｃ）に示すように、突出端１２１ａが肉厚面１０３に達する。これにより、図１０（ｃ）に示すように、スイッチ７ａに対する押下も解除される。このように全てのスイッチ７ａ，７ｂがオフとなることで、開閉体２が開位置まで開いたことを検知することができる。
【００３１】  以上のように、この実施の形態１によれば、ホルダ９に形成した第１〜３の位置決め穴９２ａ〜９４ａ，９２ｂ〜９４ｂおよびスイッチレバーユニット８に形成した第１〜３の位置決め突起１３１ａ〜１３３ａ，１３１ｂ〜１３３ｂにより位置決めを行い、スイッチレバーユニット８を、スイッチレバー１２２を基板１１上に配置されたスイッチ７ａ，７ｂへ向けて、基板１１の面に平行かつスライドバー１２１の軸方向に直交する方向に移動させて組み付けるように構成したので、スイッチレバーユニット８をホルダ９に組み付ける際の組み付け性を改善することができる。
【００３２】  なお、実施の形態１では、ホルダ９に第１〜３の位置決め穴９２ａ〜９４ａ，９２ｂ〜９４ｂを形成し、スイッチレバーユニット８に第１〜３の位置決め突起１３１ａ〜１３３ａ，１３１ｂ〜１３３ｂを形成したが、スイッチレバーユニット８に位置決め穴を形成し、ホルダ９にこの位置決め穴と係合する位置決め突起を形成してもよい。  また、実施の形態１では、ホルダ９に形成した第１〜３の位置決め穴９２ａ〜９４ａ，９２ｂ〜９４ｂに、スイッチレバーユニット８をホルダ９に固定保持する保持部としての機能を加えた場合について示したが、例えばネジ止めによりスイッチレバーユニット８をホルダ９に固定保持する等、別に保持部を追加するようにしてもよい。
【００３３】  また、実施の形態１では、ディスプレイユニットを開閉体２としたディスプレイ装置１に適用した場合について示したが、これに限るものではなく、その他の開閉体を有する装置にも同様に適用可能である。  また、本願発明はその発明の範囲内において、実施の形態の任意の構成要素の変形、もしくは実施の形態の任意の構成要素の省略が可能である。
【産業上の利用可能性】
【００３４】  この発明に係るスイッチレバー装置は、スイッチレバーユニットをホルダに組み付ける際の組み付け性を改善することができ、第１の筐体と、第１の筐体に一端側が回動自在に支持されて回動により当該第１の筐体に対して開閉される第２の筐体とを備えた回動開閉装置に組み込まれ、第２の筐体の開閉角度を検知するスイッチレバー装置等に用いるのに適している。
【符号の説明】
【００３５】  １  ディスプレイ装置（回動開閉装置）、２  開閉体（第２の筐体）、３  固定体（第１の筐体）、４  回転軸、５  軸受け部、６  スイッチレバー装置、７ａ，７ｂ  スイッチ、８  スイッチレバーユニット、９  ホルダ（第２の筐体側ホルダ）、１０  段差部、１１  基板、１２  スライドスイッチレバー、１３  スイッチレバーホルダ、１４  バネ部、２１  係合穴、２２  上側カバー、３１  爪部、３２  係合解除ボタン、５１  固定面、９１ａ，９１ｂ  ガイド部、９２ａ，９２ｂ  第１の位置決め穴、９３ａ，９３ｂ  第２の位置決め穴、９４ａ，９４ｂ  第３の位置決め穴、１０１  肉薄面、１０２  傾斜面、１０３  肉厚面、１２１  スライドバー、１２１ａ  突出端、１２２  スイッチレバー、１２２ａ，１２２ｂ  面、１３１ａ，１３１ｂ  第１の位置決め突起、１３２ａ，１３２ｂ  第２の位置決め突起、１３３ａ，１３３ｂ  第３の位置決め突起。
【図１】
2012137264.tif 000003
【図２】
2012137264.tif 000004
【図３】
2012137264.tif 000005
【図４】
2012137264.tif 000006
【図５】
2012137264.tif 000007
【図６】
2012137264.tif 000008
【図７】
2012137264.tif 000009
【図８】
2012137264.tif 000010
【図９】
2012137264.tif 000011
【図１０】
2012137264.tif 000012
【国際調査報告】
2012137264.tif 000013
2012137264.tif 000014